(57)【要約】【課題】  本発明はファスナーに関し、ファスナーエレメントの噛合部からの水の浸入を防いだファスナーを提供することを目的とする。【解決手段】  請求項１に係るファスナーは、互いに噛合自在なファスナーエレメントが取り付く一対のファスナーテープの一方の裏面側に、ファスナーエレメントの噛合部を覆うカバー体を当該ファスナーテープに沿って設けたことを特徴とする。  そして、請求項２に係る発明は、請求項１に記載のファスナーに於て、カバー体は、他方のファスナーテープ側に突出するその先端部に、水を止水する段部が形成されていることを特徴とし、請求項３に係る発明は、請求項１または請求項２に記載のファスナーに於て、カバー体は、他方のファスナーテープ側に突出するその先端部に向かって、ファスナーテープから順次離間するように傾斜していることを特徴とする。【選択図】    図３
2005211151.tif 000002
【特許請求の範囲】
【請求項１】
互いに噛合自在なファスナーエレメントが取り付く一対のファスナーテープの一方の裏面側に、ファスナーエレメントの噛合部を覆うカバー体を当該ファスナーテープに沿って設けたことを特徴とするファスナー。
【請求項２】
カバー体は、他方のファスナーテープ側に突出するその先端部に、水を止水する段部が形成されていることを特徴とする請求項１に記載のファスナー。
【請求項３】
カバー体は、他方のファスナーテープ側に突出するその先端部に向かって、ファスナーテープから順次離間するように傾斜していることを特徴とする請求項１または請求項２に記載のファスナー。
【請求項４】
他方のファスナーテープ側の裏面に、カバー体の先端部と交差するように第２のカバー体を、当該ファスナーテープに沿って設けたことを特徴とする請求項１乃至請求項３のいずれか１項に記載のファスナー。
【請求項５】
第２のカバー体の先端部に、水を止水する段部が形成されていることを特徴とする請求項４に記載のファスナー。
【発明の詳細な説明】
【技術分野】
【０００１】
本発明は、釣具のケースやバッグ，釣竿ケース等のケース類や、釣り用ウェア等のウェア類の開閉具として用いる止水機能を持ったファスナーに関する。
【背景技術】
【０００２】
従来、衣類やバック等の開閉具としてファスナー（スライドファスナー）が使用されているが、ファスナーを釣竿ケースや釣り用ウェア等の開閉具として使用する場合、ファスナーに防水機能を持たせる必要がある。
そこで、昨今では、左右一対のファスナーテープ（ファスナー片）の表面や裏面に合成樹脂フィルムを溶着したり、ファスナーテープ自体をポリ塩化ビニルやポリウレタン等の防水シートで形成して防水機能を持たせたファスナーが、釣竿ケースや釣り用ウェア等の開閉具として広く使用されている。
【０００３】
しかし、斯様に防水機能を有するファスナーにあっても、ファスナーエレメントの噛合部からの水の浸入防止が図られていないのが実情である。
また、特許文献１には、図５乃至図７に示すように釣り用ウェア１等の開閉部３に取り付くファスナー５を覆って、透明または半透明なカバー部材７を釣り用ウェア１に縫合したファスナー構造９が開示されている。
【０００４】
カバー部材７はウレタンゴムやシリコンゴム等を用いて平面視長方形に形成されて、図７の如く幅方向中央部分が盛り上がった形状となっている。そして、この盛り上がった中央部分にスリット１１が長手方向に設けられており、図７に示すようにファスナー５の開け閉めの際に、スリット１１からファスナー５のスライダー１３の把持部１５をつまみ出してスライダー１３を移動させるようになっている。
【特許文献１】特開２０００−２２５００６号公報
【発明の開示】
【発明が解決しようとする課題】
【０００５】
しかし乍ら、上述の如きファスナー構造９にあっても、外部に露出するカバー部材７にスリット１１が設けられているため、スリット１１から内部に水が浸入してファスナー５のファスナーエレメントの噛合部から内部に水が浸入してしまう不具合があり、依然として確実な防水が図られていないのが実情であった。
本発明は斯かる実情に鑑み案出されたもので、ファスナーエレメントの噛合部からの水の浸入を防いだファスナーを提供することを目的とする。
【課題を解決するための手段】
【０００６】
斯かる目的を達成するため、請求項１に係るファスナーは、互いに噛合自在なファスナーエレメントが取り付く一対のファスナーテープの一方の裏面側に、ファスナーエレメントの噛合部を覆うカバー体を当該ファスナーテープに沿って設けたことを特徴とする。
そして、請求項２に係る発明は、請求項１に記載のファスナーに於て、カバー体は、他方のファスナーテープ側に突出するその先端部に、水を止水する段部が形成されていることを特徴とし、請求項３に係る発明は、請求項１または請求項２に記載のファスナーに於て、カバー体は、他方のファスナーテープ側に突出するその先端部に向かって、ファスナーテープから順次離間するように傾斜していることを特徴とする。
【０００７】
また、請求項４に係る発明は、請求項１乃至請求項３のいずれか１項に記載のファスナーに於て、他方のファスナーテープ側の裏面に、カバー体の先端部と交差するように第２のカバー体を、当該ファスナーテープに沿って設けたことを特徴とし、請求項５に係る発明は、請求項４に記載のファスナーに於て、第２のカバー体の先端部に、水を止水する段部が形成されていることを特徴とする。
【発明の効果】
【０００８】
各請求項に係る発明によれば、ファスナーエレメントの噛合部から浸入した水がカバー体によって止水されるため、内部への水の浸入を確実に防止することができることとなった。
そして、請求項２及び請求項５に係る発明によれば、先端部に形成された段部によって止水が図られるため、水の浸入をより確実に防止することができる利点を有する。
【０００９】
また、請求項３に係る発明によれば、カバー体が邪魔にならずにスライダーを動かすことができ、ファスナーをスムーズに開け閉めできる利点を有する。
【発明を実施するための最良の形態】
【００１０】
以下、本発明の実施形態を図面に基づいて詳細に説明する。
図１乃至図３は請求項１乃至請求項３に係るファスナー（スライドファスナー）を釣竿ケースに用いた一実施形態を示し、図１に於て、２１は所定形状に裁断された１枚のシートを筒状に屈曲形成した釣竿ケース２３のケース本体（胴部）で、その底部は、ケース本体２１の成形材料より剛性の大きい材料からなる合成樹脂製のボトムカップ（底体）２５内に嵌合し、縫糸で縫着されて止着されている。
【００１１】
ケース本体２１を形成するシートは、所定形状に裁断した１枚のポリウレタンやエチレン酢酸ビニル等の合成樹脂やゴム等の発泡材（独立気泡発泡材または連続気泡発泡材）の表裏に、ナイロンやポリプロピレン等の薄い外布と内布を添設した積層構造をなし、ケース本体２１の背中当接面にショルダーベルト２７や図示しない手提げ用の取っ手が取り付き、また、ケース本体２１の一側面に図示しない小物用のサイドポケットが取り付けられている。
【００１２】
そして、ケース本体２１に開口する釣竿取出し口２９に、当該釣竿取出し口２９をケース本体２１の頂部からボトムカップ２５に亘って開閉するファスナー３１が取り付けられている。
図２及び図３はファスナー３１の詳細を示し、図中、３３，３５は釣竿取出し口２９の周縁部、即ち、ケース本体２１を形成するシートの端部３７，３９に縫糸４１で縫着されたファスナー３１の一対のファスナーテープで、ファスナーテープ３３，３５は非透水性材料で形成され、本実施形態では、例えばポリエステル繊維等の合成樹脂繊維を織成または編成して布状に形成され、夫々の裏面側に合成樹脂シートを溶着した防水用のコーティング層４３が設けられている。
【００１３】
そして、両ファスナーテープ３３，３５の対向側縁部の表面に、互いに噛合自在なポリエステル等の合成樹脂のモノフィラメントから形成した線状タイプのコイル状ファスナーエレメント４５，４７が縫糸４９で縫着されており、従来と同様、ファスナーエレメント４５，４７は、これらを噛み込み乍らファスナーテープ３３，３５に沿って移動自在に取り付くスライダー５１の操作で噛合しまたは噛合が解除されて、ファスナー３１が開け閉めされるようになっている。
【００１４】
また、ファスナーエレメント４５，４７が噛合したとき、ファスナーテープ３３，３５の対向側縁部同士が当接して、ファスナーテープ３３とファスナーテープ３５の間から水が浸入し難くなっている。
而して、本実施形態に係るファスナー３１は、上述の如き構成に加え、ファスナーエレメント４５，４７の噛合部５３からの水の浸入を防ぐため、ファスナーテープ３５の裏面側に、当該噛合部５３を覆うカバー体５５をファスナーテープ３５に沿って取り付けたことを特徴とする、
図２及び図３に示すようにカバー体５５は、ファスナーテープ３５と共にその一側縁部５７が前記端部３９に縫糸４１で縫着によって設けられた合成樹脂や硬質ゴム等の非透水性材料からなる薄い帯状の板材で、ファスナーエレメント４５，４７の噛合部５３を覆って他方のファスナーテープ３３側に至る幅寸法Ｌを有し、ケース本体２１の変形に追従して変形するようになっている。
【００１５】
また、カバー体５５は、ファスナーテープ３３側に突出するその先端部５９側に向かって僅かに下方（釣竿ケース２３の内方）へ折曲し、当該先端部５９へ向かってファスナーテープ３３，３５から順次離間するように傾斜した形状となっている。
そして、カバー体５５の先端部５９には、カバー体５５の長手方向（スライダー５１の操作方向）に沿って突部（段部）６１が上方（ファスナーテープ３３方向）へ突設されており、噛合部５３からカバー体５５の上面６３に浸入した水を当該突部６１が止水して、それ以上水が釣竿ケース２３内に浸入するのを防止すると共に、当該突部６１と傾斜した
カバー体５５自体の形状とで、カバー体５５とファスナーテープ３３，３５との間にスライダー５１をスムーズに動かすための間隙６５を形成している。
【００１６】
尚、図３では上記突部６１とファスナーテープ３３との間に僅かな隙間を空けて離間させているが、突部６１をファスナーテープ３３の裏面に当接させてもよい。
また、図示しないがファスナー３１の下端部（ボトムカップ２５側）にカバー体５５の下端部が外部に露出しており、後述するようにカバー体５５に沿って下方へ案内された水がここから外部に排水されるようになっている。
【００１７】
その他、図１に於て、６７はスライダー５１の摘み（把持部）である。
本実施形態はこのように構成されているから、摘み６７を摘んでスライダー５１をファスナーテープ３３，３５に沿って移動させれば、ファスナーエレメント４５，４７が噛合しまたは噛合が解除されてファスナー３１が開け閉めされる。
そして、ファスナーテープ３３，３５の裏面側に防水用のコーティング層４３が設けられているため、ファスナーテープ３３，３５による防止が図られるが、ファスナーエレメント４５，４７の噛合部５３から水が内部に浸入する。
【００１８】
しかし、噛合部５３を覆ってファスナーテープ３３，３５の裏面側に配置されたカバー体５５が、噛合部５３から浸入した水をその上面６３で受ける。すると、水はカバー体５５の勾配によって突部６１側に流れるが、突部６１が止水してそれ以上水が釣竿ケース２３内に浸入するのを防止し乍ら、恰も雨どいの如くカバー体５５が水をカバー体５５の長手方向に沿って下方へ案内するため、水はカバー体５５の長手方向に沿って突設した突部６１に沿うようにカバー体５５を伝って下方へ流れていくこととなる。
【００１９】
そして、既述したようにファスナー３１の下端部から外部にカバー体５５の下端部が露出しているため、カバー体５５に沿って下方へ案内された水はここから外部に排水される。
また、既述したように突部６１と傾斜したカバー体５５自体の形状とで、カバー体５５とファスナーテープ３３，３５との間にスライダー５１をスムーズに動かすための間隙６５が形成されているため、カバー体５５が邪魔にならず、ファスナー３１がスムーズに開け閉めできることとなる。
【００２０】
このように本実施形態によれば、ファスナーエレメント４５，４７の噛合部５３から浸入した水がカバー体５５によって止水されるため、釣竿ケース２３内部への水の浸入を確実に防止することが可能となった。
また、カバー体５５はケース本体２１に追従して変形するため、釣竿ケース２３の持ち運び等の際にカバー体５５が突っ張ったりして邪魔をすることがないし、釣竿の出し入れの際にカバー体５５が釣竿を傷付けることもない。
【００２１】
更にまた、本実施形態によれば、カバー体５５に設けた突部６１と傾斜したカバー体５５自体の形状とで、カバー体５５とファスナーテープ３３，３５との間にスライダー５１をスムーズに動かすための間隙６５が形成されているため、カバー体５５が邪魔にならず、ファスナー３１がスムーズに開け閉めできる利点を有する。
図４は釣竿ケースに取り付く請求項１乃至請求項５の一実施形態に係るファスナーの断面図を示し、以下、本実施形態を図面に基づいて説明する。
【００２２】
尚、図１乃至図３の実施形態と同一のものには同一符号を付してそれらの説明は省略する。
図４に於て、６９，７１は既述したカバー体５５と同一材料を用いて形成された薄い帯状のカバー体で、両カバー体６９，７１は同一寸法，同一形状に形成されている。
そして、一方のカバー体６９はファスナーテープ３５と共に、当該ファスナーテープ３５に沿ってその一側縁部７３が端部３９に縫糸４１で縫着され、他方のカバー体７１はファスナーテープ３３と共に、当該ファスナーテープ３３に沿ってその一側縁部７５が端部３７に縫糸４１で縫着されている。そして、両カバー体６９，７１は、夫々、ファスナーエレメント４５，４７の噛合部５３を覆って他方のファスナーテープ３３，３５側に至る幅寸法を有し、ケース本体２１の変形に追従して変形するようになっている。
【００２３】
また、両カバー体６９，７１は、夫々、ファスナーテープ３３，３５側に突出する各先端部７７，７９側に向かって下方（釣竿ケース２３の内方）へ折曲し、夫々の先端部７７，７９へ向かってファスナーテープ３３，３５から順次離間するように傾斜した形状となっている。そして、図示するようにカバー体６９の先端部７７と交差するように、カバー体７１がカバー体６９の下側に配置されている。
【００２４】
更に、両カバー体６９，７１の先端部７７，７９側には、夫々の長手方向（スライダー５１の操作方向）に沿って凹部（段部）８１，８３が設けられており、噛合部５３からカバー体６９の上面８５に浸入した水をカバー体６９側の凹部８１で止水し、そして、当該凹部８１で止水しきれなかった水をカバー体７１の凹部８３で止水して、それ以上水が釣竿ケース２３内に浸入するのを防止するようになっている。
【００２５】
また、図示しないが本実施形態に於ても、ファスナー８７の下端部（ボトムカップ２５側）にカバー体６９，７１の下端部が外部に露出しており、後述するようにカバー体６９，７１に沿って下方へ案内された水がここから外部に排水されるようになっている。
本実施形態に係るファスナー８７はこのように構成されているから、ファスナーエレメント４５，４７の噛合部５３からカバー体６９の上面８５に浸入した水はカバー体６９の勾配によって凹部８１へと流れるが、凹部８１が止水し、また、当該凹部８１で止水しきれなかった水をカバー体７１の凹部８３で止水して、それ以上水が釣竿ケース２３内に浸入するのを防止する。
【００２６】
そして、恰も雨どいの如く両カバー体６９，７１が水をカバー体６９，７１の長手方向に沿って下方へ案内するため、水は凹部８１，８３に沿って両カバー体６９，７１を伝って下方へ流れ、ファスナー８７の下端部から外部に排水されることとなる。
また、既述したように両カバー体６９，７１は、夫々の先端部７７，７９へ向かってファスナーテープ３３，３５から順次離間するように傾斜した形状となっているため、カバー体６９，７１とファスナーテープ３３，３５との間にスライダー５１をスムーズに動かすための間隙８９が形成され、この結果、カバー体６９，７１が邪魔にならずにファスナー８７がスムーズに開け閉めできることとなる。
【００２７】
従って、本実施形態によっても、ファスナーエレメント４５，４７の噛合部５３から浸入した水がカバー体６９，７１によって止水されるため、釣竿ケース２３内部への水の浸入を確実に防止することが可能である。
また、カバー体６９，７１はケース本体２１に追従して変形するため、釣竿ケース２３の持ち運び等の際にカバー体６９，７１が突っ張ったりして邪魔をすることがないし、釣竿の出し入れの際にカバー体６９，７１が釣竿を傷付けることもない。
【００２８】
更にまた、本実施形態によっても、ファスナー８７の開け閉めの際にカバー体６９，７１が邪魔にならない利点を有する。
尚、上述した各実施形態では、カバー体５５，６９，７１をファスナーテープ３３，３５と別体構造としたが、例えば上記カバー体６９，７１に代え、ファスナーテープ３３，３５を夫々幅方向に長尺に形成し、これを端部３７，３９との縫着部分で断面く字状に折曲して折曲片を設け、その折曲片をカバー体６９，７１の如く機能させてもよく、この場合、凹部８１，８３に代えて、既述した突部６１の如き段部を夫々の先端部に別途取り付ければよい。
【００２９】
而して、斯かる構成によっても、既述した各実施形態と同様、所期の目的を達成することが可能である。
【図面の簡単な説明】
【００３０】
【図１】請求項１乃至請求項３の一実施形態に係るファスナーを用いた釣竿ケースの側面図である。
【図２】釣竿ケースに取り付くファスナーの要部拡大側面図である。
【図３】図１のIII−III線断面図である。
【図４】釣竿ケースに取り付く請求項１乃至請求項５の一実施形態に係るファスナーの断面図である。
【図５】従来のファスナー構造の全体斜視図である。
【図６】図５に示すファスナー構造の分解斜視図である。
【図７】ファスナー構造の断面図である。
【符号の説明】
【００３１】
２１  ケース本体
２３  釣竿ケース
２５  ボトムカップ
２９  釣竿取出し口２
３１，８７  ファスナー
３３，３５  ファスナーテープ
４３  コーティング層
４５，４７  ファスナーエレメント
５１  スライダー
５３  噛合部
５５，６９，７１  カバー体
５９，７７，７９  先端部
６１  突部
６５，８９  間隙
８１，８３  凹部
【図１】
2005211151.tif 000003
【図２】
2005211151.tif 000004
【図３】
2005211151.tif 000005
【図４】
2005211151.tif 000006
【図５】
2005211151.tif 000007
【図６】
2005211151.tif 000008
【図７】
2005211151.tif 000009